(57)【要約】      （修正有）【課題】コストの低減をさせることができるとともに、外装材の製作公差により生じる外装材の取付位置のずれにも容易に対応することが可能なサイディング取付金物および該サイディング取付金物を用いたサイディング材取付構造および取付方法を提供する。【解決手段】外壁パネル２にサイディング材３を取り付けるためのサイディング取付金物において、前記外壁パネル２の表面に取り付け固定される金物本体４と、前記金物本体４の表面に設けられ、左右の前記サイディング材３の各縁部に設けられた被係合部３ａ、３ｂにそれぞれ係合するサイディング材係合部５とを備え、前記サイディング材係合部５には、前記サイディング材３の被係合部３ａ、３ｂの端面が当接される当接部６が前記サイディング材係合部５から突出して形成されていることを特徴とするサイディング取付金物。【選択図】図２
2006291532.tif 000002
【特許請求の範囲】
【請求項１】
外壁パネルにサイディング材を取り付けるためのサイディング取付金物において、
前記外壁パネルの表面に取り付け固定される金物本体と、
前記金物本体の表面に設けられ、左右の前記サイディング材の各縁部に設けられた被係合部にそれぞれ係合するサイディング材係合部とを備え、
前記サイディング材係合部には、前記サイディング材の被係合部の端面が当接される当接部が前記サイディング材係合部から突出して形成されていることを特徴とするサイディング取付金物。
【請求項２】
請求項１に記載のサイディング取付金物において、
前記サイディング材係合部は、前記サイディング材の被係合部を挿入するための空間を形成するとともに少なくとも一方の面に前記当接部を備える立脚部と、該立脚部から所定の角度で左右交互に折曲加工された複数の係合片とを備えていることを特徴とするサイディング取付金物。
【請求項３】
請求項１または２に記載のサイディング取付金物において、
前記金物本体は、前記外壁パネルと前記サイディング材との間に所定の隙間を形成可能な厚さに設定されていることを特徴とするサイディング取付金物。
【請求項４】
請求項１〜３のいずれか一項に記載のサイディング取付金物を用いて複数のサイディング材を外壁パネルに取り付けるサイディング材取付構造であって、
前記外壁パネルの表面に、前記サイディング取付金物が左右に所定間隔で取り付けられており、
左右に隣り合うサイディング取付金物間にサイディング材が配置されるとともに、このサイディング材の一方の被係合部が一方の前記サイディング取付金物の係合部に係合しており、前記サイディング材の他方の被係合部が他方の前記サイディング取付金物の係合部に係合しており、
前記サイディング材の被係合部の端面が、前記サイディング取付金物の当接部に当接していることを特徴とするサイディング材取付構造。
【請求項５】
請求項１〜３のいずれか一項に記載のサイディング取付金物を用いて複数のサイディング材を外壁パネルに取り付けるサイディング材取付方法であって、
当接部の突出長さが異なる複数種類のサイディング取付金物を用意しておき、
前記外壁パネルの表面に、前記サイディング取付金物を左右に所定間隔で取り付けるとともに、左右に隣り合うサイディング取付金物の係合部に、サイディング材の両端部に設けられた被係合部をそれぞれ係合させることで、サイディング材を取り付けるに際し、
前記外壁パネルの表面に取り付けるべきサイディング取付金物を、前記複数種類のサイディング取付金物から選択して、外壁パネルの表面に取り付け、
このサイディング取付金物の当接部にサイディング材の被係合部の端面を当接することによって、サイディング材の左右方向の位置決めを行うことを特徴とするサイディング材取付方法。
【発明の詳細な説明】
【技術分野】
【０００１】
本発明は、外壁パネルにサイディング材を取り付けるためのサイディング取付金物、サイディング材取付構造および取付方法に関する。
【背景技術】
【０００２】
近年、住宅等の建物の構築についてはその工業化が進み、例えば壁や床、屋根といった構成要素を予め工場にてパネル化しておき、施工現場でこれらのパネルを組み立てることにより、建物を構築するといったパネル工法が一部に採用されている。
【０００３】
以上のようなパネル工法として、建物の壁体に外装材を取り付けるための外装材の取付金具および外装材の縦貼り用胴縁、並びに、建物の壁体に外装材を取り付ける外装材の取付け工法に関する技術が知られている（特許文献１参照）。
【０００４】
また、このような技術によって壁体に外装材を縦貼りする際は、予め工場で横胴縁に取付金具を止着しておき、その後、この横胴縁を現場で壁体に固定してから外装材を取付金具に係合させて壁体に取り付けるようにしている。
【特許文献１】特開２０００−３５６０２４号公報
【発明の開示】
【発明が解決しようとする課題】
【０００５】
ところで、上述のように建物の壁体に取付けられる外装材は、該外装材の製作時に発生する製作公差により、その取付位置に若干のずれが生じる場合があった。このような場合、取付金具の位置を再調整するなど非常に手間がかかっていた。
【０００６】
また、胴縁を用いずとも取付金具（以下、サイディング取付金物）を壁体（以下、外壁パネル）に設置することが可能となり、その上、外装材の製作公差により生じた外装材の取付位置のずれに対して容易に対応することができるとともに、外装材（以下、サイディング材）の取り付けに係る作業効率を向上させることができるような技術の開発が強く望まれていた。
【０００７】
本発明の課題は、コストの低減をさせることができるとともに、外装材の製作公差により生じる外装材の取付位置のずれにも容易に対応することが可能なサイディング取付金物、サイディング材取付構造および取付方法を提供することを目的とする。
【課題を解決するための手段】
【０００８】
請求項１に記載の発明は、例えば図１および図２に示すように、外壁パネル２にサイディング材３を取り付けるためのサイディング取付金物１において、
前記外壁パネル２の表面に取り付け固定される金物本体４と、
前記金物本体４の表面に設けられ、左右の前記サイディング材３の各縁部に設けられた被係合部３ａ、３ｂにそれぞれ係合するサイディング材係合部５とを備え、
前記サイディング材係合部５には、前記サイディング材３の被係合部３ａ、３ｂの端面が当接される当接部６が前記サイディング材係合部５から突出して形成されていることを特徴とする。
【０００９】
請求項１に記載の発明によれば、前記サイディング材係合部５から突出して形成された当接部６に前記サイディング材３の被係合部３ａ、３ｂの端面を当接させることにより、前記サイディング材３の取付位置を、前記当接部６が突出した分だけ前記外壁パネル２の左右方向にずらすことが可能となるので、サイディング材３の製作公差により生じたサイディング材３の取付位置のずれにも容易に対応することができ、前記サイディング材３の左右方向の位置決めを確実に行うことができる。
また、前記外壁パネル２の表面に金物本体４を取り付け固定し、該金物本体４の表面に設けられたサイディング材係合部５に前記左右のサイディング材３の被係合部３ａ、３ｂをそれぞれ係合させることによって、前記外壁パネル２にサイディング材３を取り付けることができるので、従来とは異なり、前記サイディング取付金物１を、胴縁を必要とせずに使用することができ、コストの低減を図ることが可能となる。
【００１０】
請求項２に記載の発明は、例えば図１および図２に示すように、請求項１に記載のサイディング取付金物１において、
前記サイディング材係合部５は、前記サイディング材３の被係合部３ａ、３ｂを挿入するための空間を形成するとともに少なくとも一方の面に前記当接部６を備える立脚部５ａと、該立脚部５ａから所定の角度で左右交互に折曲加工された複数の係合片５ｂ、５ｂ…とを備えていることを特徴とする。
【００１１】
請求項２に記載の発明によれば、前記立脚部５ａおよび複数の係合片５ｂ、５ｂ…とが金属弾性により僅かに変移して、前記サイディング材３を前記立脚部５ａにより形成された空間に挿入し易くなるので、前記サイディング材３を外壁パネル２に取り付ける際、前記サイディング材３の被係合部３ａ、３ｂの端面を前記当接部６に確実に当接させることが可能となる。したがって、サイディング材３の製作公差により生じたサイディング材３の取付位置のずれにも容易に対応することができ、前記サイディング材３の左右方向の位置決めを確実に行うことができる。
【００１２】
請求項３に記載の発明は、例えば図２に示すように、請求項１または２に記載のサイディング取付金物１において、
前記金物本体４は、前記外壁パネル２と前記サイディング材３との間に所定の隙間を形成可能な厚さに設定されていることを特徴とする。
【００１３】
請求項３に記載の発明によれば、前記金物本体４が、前記外壁パネル２と前記サイディング材３との間に所定の隙間を形成可能な厚さに設定されているので、従来とは異なり、前記サイディング取付金物１を、胴縁を必要とせずに使用することができ、コストを低減させることが可能となる。また、前記隙間が形成されることにより、該隙間を水・通気経路として確保することができる。
【００１４】
請求項４に記載の発明は、例えば図１〜図３に示すように、請求項１〜３のいずれか一項に記載のサイディング取付金物１を用いて複数のサイディング材３、３…を外壁パネル２に取り付けるサイディング材取付構造であって、
前記外壁パネル２の表面に、前記サイディング取付金物１が左右に所定間隔で取り付けられており、
左右に隣り合うサイディング取付金物１間にサイディング材３が配置されるとともに、このサイディング材３の一方の被係合部３ａ、３ｂが一方の前記サイディング取付金物１の係合部５に係合しており、前記サイディング材３の他方の被係合部３ａ、３ｂが他方の前記サイディング取付金物１の係合部５に係合しており、
前記サイディング材３の被係合部３ａ、３ｂの端面が、前記サイディング取付金物１の当接部６に当接していることを特徴とする。
【００１５】
請求項４に記載の発明によれば、左右に隣り合うサイディング取付金物１の一方の前記サイディング取付金物１の係合部５と他方の前記サイディング取付金物１の係合部５とに、前記サイディング材３の一方および他方の被係合部３ａ、３ｂを係合させて取り付けることができるので、複数のサイディング材３、３…を外壁パネル２に対して確実に取り付けることが可能となる。
また、前記サイディング材係合部５の当接部６に前記サイディング材３の被係合部３ａ、３ｂの端面を当接することにより、前記サイディング材３の取付位置を、前記当接部６が突出した分だけ前記外壁パネル２の左右方向にずらすことが可能となるので、サイディング材３の製作公差により生じたサイディング材３の取付位置のずれにも容易に対応することができ、前記サイディング材３の左右方向の位置決めを確実に行うことができる。
【００１６】
請求項５に記載の発明は、例えば図１〜図４に示すように、請求項１〜３のいずれか一項に記載のサイディング取付金物１を用いて複数のサイディング材３、３…を外壁パネル２に取り付けるサイディング材取付方法であって、
当接部６の突出長さが異なる複数種類のサイディング取付金物１ａ、１ｂ、１ｃを用意しておき、
前記外壁パネル２の表面に、前記サイディング取付金物１を左右に所定間隔で取り付けるとともに、左右に隣り合うサイディング取付金物１の係合部５に、サイディング材３の両端部に設けられた被係合部３ａ、３ｂをそれぞれ係合させることで、サイディング材３を取り付けるに際し、
前記外壁パネル２の表面に取り付けるべきサイディング取付金物１を、前記複数種類のサイディング取付金物１ａ、１ｂ、１ｃから選択して、外壁パネル２の表面に取り付け、
このサイディング取付金物１の当接部６にサイディング材３の被係合部３ａ、３ｂの端面を当接することによって、サイディング材３の左右方向の位置決めを行うことを特徴とする。
【００１７】
請求項５に記載の発明によれば、前記当接部６の突出長さが異なる複数種類のサイディング取付金物１ａ、１ｂ、１ｃを用意しておき、この中から選択して前記外壁パネル２の表面に取り付けることによって、前記サイディング材３の取付位置を、前記選択した当接部６の突出長さ分だけ前記外壁パネル２の左右方向にずらすことが可能となるので、前記サイディング材３の製作公差により生じたサイディング材３の取付位置のずれにも容易に対応することができ、前記サイディング材３の左右方向の位置決めを確実に行うことができる。
また、予め、前記当接部６の突出長さが異なる複数種類のサイディング取付金物１ａ、１ｂ、１ｃを用意しておくとともに、ある程度の数のサイディング取付金物１、１…およびサイディング材３、３…を前記外壁パネル２の表面に取り付けておくことによって、前記複数種類のサイディング取付金物１ａ、１ｂ、１ｃにより左右方向の位置決めを行いながら、残りのサイディング材３を前記外壁パネル２に取り付けていくだけでサイディング材３の取付作業を進めることができるので、作業効率を向上させることが可能となる。
【発明の効果】
【００１８】
本発明によれば、従来とは異なり、胴縁を用いずとも前記サイディング取付金物を外壁パネルに縦貼りすることができるのでコストの低減を図ることが可能となる。
その上、サイディング材の製作公差により生じたサイディング材の取付位置のずれに対して容易に対応することが可能となるので、前記サイディング材の左右方向の位置決めを確実に行うことができ、しかも、サイディング材の取り付けに係る作業効率を向上させることが可能となる。
【発明を実施するための最良の形態】
【００１９】
以下、図面を参照して本発明に係るサイディング取付金物１、サイディング材取付構造および取付方法の実施の形態について説明する。
【００２０】
本実施の形態のサイディング取付金物１は、図１および図２に示すように、外壁パネル２にサイディング材３を取り付けるためのものであり、
前記外壁パネル２の表面に取り付け固定される金物本体４と、
前記金物本体４の表面に設けられ、左右の前記サイディング材３の各縁部に設けられた被係合部３ａ、３ｂにそれぞれ係合するサイディング材係合部５とを備え、
前記サイディング材係合部５には、前記サイディング材３の被係合部３ａ、３ｂの端面が当接される当接部６が前記サイディング材係合部５から突出して形成されている。
【００２１】
前記外壁パネル２は、縦框材と横框材とが矩形状に組み立てられるとともに、この矩形枠の内部に補強芯材が縦横に組まれて枠体が形成され、さらにこの枠体内にグラスウール等の断熱材が充填された状態で枠体の表裏面に合板等の面材が貼設されたものであり、本実施の形態では、図３および図４に示すように、複数の壁パネルが連結された状態で一枚の大型パネルとなる外壁パネル２が形成されている。
【００２２】
前記サイディング材３は、図２および図３に示すように、高さ方向に向かって長尺に形成され、前記金物本体４の表面に設けられたサイディング材係合部５に係合する被係合部３ａ、３ｂが各縁部に設けられている。
該被係合部３ａ、３ｂは、前記サイディング材係合部５に確実に係合できるように、幅方向一端には、切欠部３０が形成された上サネ３１ａを、他端には下サネ３１ｂを備えている。
【００２３】
前記金物本体４は、図２および図５に示すように、前記外壁パネル２と前記サイディング材３との間に所定の隙間を形成可能な厚さに設定されている。これにより、従来とは異なり、前記サイディング取付金物１を、胴縁を必要とせずに使用することができ、コストを低減させることが可能となる。また、前記隙間が形成されることにより、該隙間を水・通気経路として確保することができるようになっている。
また、この金物本体４の底部には、該金物本体４を前記外壁パネル２の表面にネジ止めして取り付け固定するためのネジ孔４ａが形成されている。
【００２４】
前記サイディング材係合部５は、図１に示すように、前記サイディング材３の被係合部３ａ、３ｂを挿入するための空間を形成するとともに少なくとも一方の面に前記当接部６を備える立脚部５ａと、該立脚部５ａから所定の角度で左右交互に折曲加工された複数の係合片５ｂ、５ｂ…とを備えている。
このようなサイディング材係合部５によれば、前記立脚部５ａおよび複数の係合片５ｂ、５ｂ…とが金属弾性により僅かに変移可能に構成されて、前記サイディング材３を前記立脚部５ａにより形成された空間に挿入し易くなるので、前記サイディング材３を外壁パネル２に取り付ける際、前記サイディング材３の被係合部３ａ、３ｂの端面を前記当接部６に確実に当接させることが可能となる。したがって、サイディング材３の製作公差により生じたサイディング材３の取付位置のずれにも容易に対応することができ、前記サイディング材３の左右方向の位置決めを確実に行うことができるようになっている。
【００２５】
前記当接部６は、図１および図２に示すように、前記サイディング材係合部５から突出して形成されており、前記立脚部５ａの少なくと一方の面に設けられている。また、複数種類の突出長さを持たせることで、前記サイディング材３の左右方向の位置決めが容易、かつ、確実に行うことが可能となっている。
さらに、本実施の形態においては、前記当接部６は前記立脚部５ａの両方の面に設けられており、前記左右のサイディング材３の被係合部３ａ、３ｂの端面が当接するようになっている。
【００２６】
次に、以上のような構成のサイディング取付金物１を用いて複数のサイディング材３、３…を外壁パネル２に取り付けるサイディング材取付構造について説明する。
前記サイディング取付金物１が、図１〜図３に示すように、前記外壁パネル２の表面に、左右に所定間隔で取り付けられており、
左右に隣り合うサイディング取付金物１間にサイディング材３が配置されるとともに、このサイディング材３の一方の被係合部３ａ、３ｂが一方の前記サイディング取付金物１の係合部５に係合しており、前記サイディング材３の他方の被係合部３ａ、３ｂが他方の前記サイディング取付金物１の係合部５に係合しており、
前記サイディング材３の被係合部３ａ、３ｂの端面が、前記サイディング取付金物１の当接部６に当接している。
【００２７】
前記サイディング取付金物１は、上述のように、前記外壁パネル２の表面に、左右に所定間隔で取り付けられているが、ここで、前記所定間隔とは、図３に示すように、前記外壁パネル２の縦框材２ａおよび縦方向の補強芯材２ｂの位置を指し、このような外壁パネル２の縦芯材２ａ、２ｂの箇所に前記サイディング取付金物１を取り付けることによって、前記サイディング取付金物１の取り付け強度を向上させることができるようになっている。
【００２８】
また、図５に示すように、基礎４０上の土台４１には前記サイディング材３を支持するとともに前記サイディング材３裏の水抜きをする水抜き用桟５０が取付け枠５３を介して取り付けられている。前記水抜き用桟５０には水抜きのための水抜き穴５１が形成されている。そして、前記複数のサイディング材３、３…は、その下端部が水抜き用桟５０の支持部５２に当接されて支持されている。
【００２９】
以上のようなサイディング材取付構造によれば、左右に隣り合うサイディング取付金物１の一方の前記サイディング取付金物１の係合部５と他方の前記サイディング取付金物１の係合部５とに、前記サイディング材３の一方および他方の被係合部３ａ、３ｂを係合させて取り付けることができるので、複数のサイディング材３、３…を外壁パネル２に対して確実に取り付けることが可能となる。
また、前記サイディング材係合部５の当接部６に前記サイディング材３の被係合部３ａ、３ｂの端面を当接することにより、前記サイディング材３の取付位置を、前記当接部６が突出した分だけ前記外壁パネル２の左右方向にずらすことが可能となるので、サイディング材３の製作公差により生じたサイディング材３の取付位置のずれにも容易に対応することができ、前記サイディング材３の左右方向の位置決めを確実に行うことができる。
【００３０】
次に、以上のような構成のサイディング取付金物１を用いて複数のサイディング材３、３…を外壁パネル２に取り付けるサイディング材取付方法について説明する。
当接部６の突出長さが異なる複数種類のサイディング取付金物１ａ、１ｂ、１ｃを用意しておき、
前記外壁パネル２の表面に、前記サイディング取付金物１を左右に所定間隔で取り付けるとともに、左右に隣り合うサイディング取付金物１の係合部５に、サイディング材３の両端部に設けられた被係合部３ａ、３ｂをそれぞれ係合させることで、サイディング材３を取り付けるに際し、
前記外壁パネル２の表面に取り付けるべきサイディング取付金物１を、前記複数種類のサイディング取付金物１ａ、１ｂ、１ｃから選択して、外壁パネル２の表面に取り付け、
このサイディング取付金物１の当接部６にサイディング材３の被係合部３ａ、３ｂの端面を当接することによって、サイディング材３の左右方向の位置決めを行って、複数のサイディング材３、３…を外壁パネル２に取り付けるようにする。
【００３１】
まず、前記当接部６の突出長さが異なる複数種類のサイディング取付金物１ａ、１ｂ、１ｃを用意する。すなわち、図２（ａ）に示すように、基準となる突出長さに形成された当接部６を備えるサイディング取付金物１（以下、第１のサイディング取付金物１ａ）と、図２（ｂ）に示すように、該第１のサイディング取付金物１ａの当接部６よりも短い突出長さに形成された当接部６を備えるサイディング取付金物１（以下、第２のサイディング取付金物１ｂ）と、図２（ｃ）に示すように、前記第１のサイディング取付金物１ａよりも長い突出長さに形成された当接部６を備えるサイディング取付金物１（以下、第３のサイディング取付金物１ｃ）とを用意する。
なお、本実施の形態では、以上のように３種類の突出長さに形成された当接部６としたが、これに限られるものではなく、適宜変更可能であることは言うまでも無い。
【００３２】
そして、図１〜図３に示すように、前記外壁パネル２の表面に、前記サイディング取付金物１を左右に所定間隔で取り付けるとともに、左右に隣り合うサイディング取付金物１の係合部５に、サイディング材３の両端部に設けられた被係合部３ａ、３ｂをそれぞれ係合させる。この際、前記外壁パネル２の表面に取り付けるべきサイディング取付金物１を、前記第１〜第３のサイディング取付金物１ａ、１ｂ、１ｃの中から選択して、外壁パネル２の表面に取り付けるようにする。
すなわち手順としては、図４に示すように、予め工場で、左から３番目までのサイディング材３を前記第１のサイディング取付金物１ａを用いて取り付けておく。
そして、この時に、左側１番目から３番目までのサイディング材３の左右寸法が予定していた寸法よりも右にずれていたら、前記第２のサイディング取付金物１ｂを用いて左から４番目と５番目のサイディング材３を取り付ける。これにより、左から４番目と５番目のサイディング材３の取り付け位置を左にずらして位置決めできるようになる。
また、左側１番目から３番目までのサイディング材３の左右寸法が予定していた寸法よりも左にずれていたら、前記第３のサイディング取付金物１ｃを用いて左から４番目と５番目のサイディング材３を取り付ける。これにより、左から４番目と５番目のサイディング材３の取り付け位置を左にずらして位置決めできるようになる。
【００３３】
以上のようなサイディング材取付方法によれば、前記当接部６の突出長さが異なる複数種類のサイディング取付金物１ａ、１ｂ、１ｃを用意しておき、この中から選択して前記外壁パネル２の表面に取り付けることによって、前記サイディング材３の取付位置を、前記選択した当接部６の突出長さ分だけ前記外壁パネル２の左右方向にずらすことが可能となるので、サイディング材３の製作公差により生じたサイディング材３の取付位置のずれにも容易に対応することができ、前記サイディング材３の左右方向の位置決めを確実に行うことができるようになる。
また、予め、前記当接部６の突出長さが異なる複数種類のサイディング取付金物１ａ、１ｂ、１ｃを用意しておくとともに、ある程度の数のサイディング取付金物１、１…およびサイディング材３、３…を前記外壁パネル２の表面に取り付けておくことによって、前記複数種類のサイディング取付金物１ａ、１ｂ、１ｃにより左右方向の位置決めを行いながら、残りのサイディング材３を前記外壁パネル２に取り付けていくだけでサイディング材３の取付作業を進めることができるので、作業効率を向上させることが可能となる。
【００３４】
本実施の形態のサイディング取付金物１、サイディング材取付構造および取付方法によれば、従来とは異なり、胴縁を用いずとも前記サイディング取付金物１を外壁パネル２に縦貼りすることができるのでコストの低減を図ることが可能となる。
その上、サイディング材３の製作公差により生じたサイディング材３の取付位置のずれに対して容易に対応することが可能となるので、前記サイディング材３の左右方向の位置決めを確実に行うことができ、しかも、サイディング材３の取り付けに係る作業効率を向上させることが可能となる。
【図面の簡単な説明】
【００３５】
【図１】本発明のサイディング取付金物を示す斜視図である。
【図２】サイディング取付金物の設置状態および複数種類の突出長さを備えた当接部を示し、（ａ）は第１のサイディング取付金物を示す平面図であり、（ｂ）は第２のサイディング取付金物を示す平面図であり、（ｃ）は第３のサイディング取付金物を示す平面図である。
【図３】サイディング材の取り付け例を示す斜視図である。
【図４】サイディング材の取り付け例を示す正面図である。
【図５】サイディング材の取り付け例を示す側面図である。
【符号の説明】
【００３６】
１  サイディング取付金物
２  外壁パネル
３  サイディング材
４  金物本体
５  サイディング材係合部
６  当接部
【図１】
2006291532.tif 000003
【図２】
2006291532.tif 000004
【図３】
2006291532.tif 000005
【図４】
2006291532.tif 000006
【図５】
2006291532.tif 000007